【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
原稿を搬送する搬送手段と、
前記搬送手段によって搬送される原稿の両面を読取可能な読取手段と、
前記読取手段によって原稿を読み取って得られた画像データを処理する画像処理手段とを有する画像処理装置であって、
前記読取手段が前記原稿の第１の面を読み取って得られた画像データに対する前記画像処理手段による処理が完了した後、前記読取手段が前記原稿の第２の面を読み取って得られた画像データに対する前記画像処理手段による処理を、前記読取手段が前記原稿の第２の面を読み取っている間に開始するかどうか判定する判定手段と、
前記読取手段が前記原稿の第２の面を読み取って得られた画像データに対する前記画像処理手段による処理を、前記読取手段が前記原稿の第２の面を読み取っている間に開始すると前記判定手段によって判定された場合に、前記読取手段が前記原稿の第２の面を読み取っている間に、前記読取手段が前記原稿の第２の面を読み取って得られた画像データに対する前記画像処理手段による処理を開始するよう制御し、
前記読取手段が前記原稿の第２の面を読み取って得られた画像データに対する前記画像処理手段による処理を、前記読取手段が前記原稿の第２の面を読み取っている間に開始しないと前記判定手段によって判定された場合に、前記読取手段が前記原稿の第２の面を読み取った後に、前記読取手段が前記原稿の第２の面を読み取って得られた画像データに対する前記画像処理手段による処理を開始するよう制御する制御手段と、
を有することを特徴とする画像処理装置。
【請求項２】
前記判定手段は、前記読取手段が前記原稿の第１の面を読み取って得られた画像データに対する前記画像処理手段による処理が完了した後、前記読取手段が前記原稿の第２の面を読み取った既読領域の画像データに対する前記画像処理手段による処理に要する第１の時間が、前記第２の面の未読領域を前記読取手段が読み取るのに要する第２の時間と等しいか、或いはそれよりも長い場合に、前記画像処理手段による処理を、前記読取手段が前記原稿の第２の面を読み取っている間に開始すると判定することを特徴とする請求項１に記載の画像処理装置。
【請求項３】
前記読取手段は、前記原稿の前記第１の面の画像を読み取るための第１の読取センサと、前記原稿の前記第２の面の画像を読み取るための第２の読取センサとを有し、前記第１と第２の読取センサは、前記原稿の搬送方向に対して互いに異なる位置に配置されていることを特徴とする請求項２に記載の画像処理装置。
【請求項４】
前記第２の面の未読領域を前記読取手段が読み取るのに要する第２の時間は、前記原稿の搬送方向における前記第１と第２の読取センサの位置の差異に基づくことを特徴とする請求項３に記載の画像処理装置。
【請求項５】
前記第１と第２の読取センサは、ラインセンサであることを特徴とする請求項３又は４に記載の画像処理装置。
【請求項６】
前記判定手段は、前記原稿のサイズが定形サイズでない場合、前記読取手段が前記原稿の第１の面を読み取って得られた画像データに対する前記画像処理手段による処理が完了したとき、前記読取手段が前記原稿の第２の面を読み取って得られた画像データに対する前記画像処理手段による処理を、前記読取手段が前記原稿の第２の面を読み取っている間に開始しないと判定することを特徴とする請求項１に記載の画像処理装置。
【請求項７】
前記第１と第２の読取センサは、搬送中の原稿の画像を読み取ることを特徴とする請求項３乃至５のいずれか１項に記載の画像処理装置。
【請求項８】
前記画像処理手段による前記処理は、前記画像データの圧縮処理を含み、
前記原稿の第１の面及び第２の面を読み取って得られた画像データを前記圧縮処理により圧縮した画像データを記憶する記憶手段を、更に有することを特徴とする請求項１乃至７のいずれか１項に記載の画像処理装置。
【請求項９】
複数枚の原稿を読み取る際、前記判定手段が前記読取手段が前記原稿の第２の面を読み取って得られた画像データに対する前記画像処理手段による処理を、前記読取手段が前記原稿の第２の面を読み取っている間に開始すると判定すると、前記制御手段は更に、先行する原稿の第１の面及び第２の面を読み取って得られた画像データを前記記憶手段に記憶した後、直ちに後続の原稿の第１の面及び第２の面の読み取りを開始するように制御することを特徴とする請求項８に記載の画像処理装置。
【請求項１０】
原稿を搬送する搬送手段と、前記搬送手段によって搬送される原稿の両面を読取可能な読取手段と、前記読取手段によって原稿を読み取って得られた画像データを処理する画像処理手段とを有する画像処理装置を制御する制御方法であって、
前記読取手段が前記原稿の第１の面を読み取って得られた画像データに対する前記画像処理手段による処理が完了した後、前記読取手段が前記原稿の第２の面を読み取って得られた画像データに対する前記画像処理手段による処理を、前記読取手段が前記原稿の第２の面を読み取っている間に開始するかどうか判定する判定工程と、
前記読取手段が前記原稿の第２の面を読み取って得られた画像データに対する前記画像処理手段による処理を、前記読取手段が前記原稿の第２の面を読み取っている間に開始すると前記判定工程で判定された場合に、前記読取手段が前記原稿の第２の面を読み取っている間に、前記読取手段が前記原稿の第２の面を読み取って得られた画像データに対する前記画像処理手段による処理を開始するよう制御し、
前記読取手段が前記原稿の第２の面を読み取って得られた画像データに対する前記画像処理手段による処理を、前記読取手段が前記原稿の第２の面を読み取っている間に開始しないと前記判定工程で判定された場合に、前記読取手段が前記原稿の第２の面を読み取った後に、前記読取手段が前記原稿の第２の面を読み取って得られた画像データに対する前記画像処理手段による処理を開始するよう制御する制御工程と、
を有することを特徴とする画像処理装置の制御方法。
【請求項１１】
コンピュータを、請求項１乃至９のいずれか１項に記載の画像処理装置の各手段として機能させるためのプログラム。
【手続補正２】
【補正対象書類名】明細書
【補正対象項目名】００１０
【補正方法】変更
【補正の内容】
【００１０】
上記目的を達成するために本発明の一態様に係る画像処理装置は以下のような構成を備える。即ち、
原稿を搬送する搬送手段と、
前記搬送手段によって搬送される原稿の両面を読取可能な読取手段と、
前記読取手段によって原稿を読み取って得られた画像データを処理する画像処理手段とを有する画像処理装置であって、
前記読取手段が前記原稿の第１の面を読み取って得られた画像データに対する前記画像処理手段による処理が完了した後、前記読取手段が前記原稿の第２の面を読み取って得られた画像データに対する前記画像処理手段による処理を、前記読取手段が前記原稿の第２の面を読み取っている間に開始するかどうか判定する判定手段と、
前記読取手段が前記原稿の第２の面を読み取って得られた画像データに対する前記画像処理手段による処理を、前記読取手段が前記原稿の第２の面を読み取っている間に開始すると前記判定手段によって判定された場合に、前記読取手段が前記原稿の第２の面を読み取っている間に、前記読取手段が前記原稿の第２の面を読み取って得られた画像データに対する前記画像処理手段による処理を開始するよう制御し、
前記読取手段が前記原稿の第２の面を読み取って得られた画像データに対する前記画像処理手段による処理を、前記読取手段が前記原稿の第２の面を読み取っている間に開始しないと前記判定手段によって判定された場合に、前記読取手段が前記原稿の第２の面を読み取った後に、前記読取手段が前記原稿の第２の面を読み取って得られた画像データに対する前記画像処理手段による処理を開始するよう制御する制御手段と、を有することを特徴とする。
【手続補正３】
【補正対象書類名】明細書
【補正対象項目名】００１６
【補正方法】変更
【補正の内容】
【００１６】
外部装置接続部１０２は、ＬＡＮやＵＳＢを介して外部装置と通信し、その外部装置との間でデータの送受信を行う。画像処理部１０３は、読取部１０４や外部装置接続部１０２で取得した画像データに対して、ハードウェアを用いて色処理など各種画像処理及び圧縮処理を行う。読取部１０４は、光学的なセンサにより紙媒体である原稿を読取可能であり、読み取った原稿の画像データを出力する。この読取部１０４は、原稿の両面を同時に読み取ることができる両面同時読取スキャナを備えており、その詳細は図２を参照して後述する。印刷部１０５は、画像処理部１０３で処理した画像データに従って用紙（シート）に画像を印刷する。ＣＰＵ１０６は、ＲＯＭ１０７に記憶されているブートプログラムを実行してＲＯＭ１０７に格納されているプログラムを記憶部１０８に展開し、その展開したプログラムを実行して、この画像形成装置１０１の動作を制御している。記憶部１０８は、ＣＰＵ１０６のメインメモリとして機能し、制御プログラムや各種変数や画像データ等を格納する。
【手続補正４】
【補正対象書類名】明細書
【補正対象項目名】００２５
【補正方法】変更
【補正の内容】
【００２５】
ここでは、前の原稿を読み取った後、次の原稿を読み取るまでの搬送間隔（紙間）で、記憶部１０８に記憶された、前の原稿の裏面の生の画像データ３０５に対して画像処理ハード３０３により画像処理及び圧縮処理を実施する。こうして処理済となり、かつ圧縮された、前の原稿の裏面の圧縮された画像データ３０７を記憶部１０８に保存する。
【手続補正５】
【補正対象書類名】明細書
【補正対象項目名】００２９
【補正方法】変更
【補正の内容】
【００２９】
そしてこの処理４０３が完了すると、裏面の画像データに対する処理の完了（裏面完了）が発行される。しかしながら、ここでは１枚目の原稿と２枚目の原稿の搬送間隔（紙間）４０４の間に、１枚目原稿の裏面の画像データに対する完了通知（裏面完了）を受けていない。このため、読取部において２枚目の原稿の搬送が停止される。その後、１枚目の原稿に対する裏面完了が発行されると、読取部は２枚目の原稿の搬送を再開しようとするが、停止している搬送用モータを再駆動しなければならないため、４０５で示すように、２枚目の原稿の搬送及び読取動作の開始が遅れてしまうことになる。
【手続補正６】
【補正対象書類名】明細書
【補正対象項目名】００３５
【補正方法】変更
【補正の内容】
【００３５】
まずＳ６０１でＣＰＵ１０６は、原稿の表面を読み取って、その画像データを画像処理する要求を受付ける。次にＳ６０２に進みＣＰＵ１０６は、図３（Ａ）に示すように、読取部１０４により原稿の表面を読み取って、その画像データを画像処理するとともに、その裏面を読み取って、その原稿の裏面の画像データを取得する処理を開始する。次にＳ６０３に進みＣＰＵ１０６は、原稿の表面の画像データを取得する処理３０１（図３（Ａ））と画像処理ハード３０３による、その画像データに対する画像処理が完了したかどうか判定する。ここで完了するとＳ６０４に進むが、そうでないときはＳ６０３を実行する。
【手続補正７】
【補正対象書類名】図面
【補正対象項目名】図４
【補正方法】変更
【補正の内容】
【図４】
2017200017.tif 000001